(57)【要約】  電子機器は、基板５０と、前記基板５０が側面に設けられるユニット本体部４０と、前記ユニット本体部４０を保持するブラケット部１００と、を備え、前記ブラケット部１００は、第１ブラケット部６０と、前記第１ブラケット部６０が摺動自在に取り付けられる第２ブラケット部８０と、を有し、前記第１ブラケット部６０を前記第２ブラケット部８０に対して摺動させて、前記ブラケット部１００が閉位置にあると、前記第１ブラケット部６０は、前記摺動方向と略垂直の方向に前記基板５０を押圧して前記基板５０を固定すると共に、前記ユニット本体部４０は、前記ブラケット部１００に固定されることを特徴とする。
2009118899.tif 000002
【特許請求の範囲】
【請求項１】
電子機器であって、
基板と、
前記基板が側面に設けられるユニット本体部と、
前記ユニット本体部を保持するブラケット部と、を備え、
前記ブラケット部は、第１ブラケット部と、前記第１ブラケット部が摺動自在に取り付けられる第２ブラケット部と、を有し、
前記第１ブラケット部を前記第２ブラケット部に対して摺動させて、前記ブラケット部が閉位置にあると、前記第１ブラケット部は、前記摺動方向と略垂直の方向に前記基板を押圧して前記基板を固定すると共に、前記ユニット本体部は、前記ブラケット部に固定されることを特徴とする電子機器。
【請求項２】
請求項１記載の電子機器であって、
前記ブラケット部が開位置にあると、前記第１ブラケット部は前記第２ブラケット部に対して傾いて位置し、前記第１ブラケット部と、前記ユニット本体部に設けられた前記基板と、の間に隙間が形成されていることを特徴とする電子機器。
【請求項３】
請求項１又は２記載の電子機器であって、
前記ユニット本体部は、前記第１ブラケット部と前記第２ブラケット部とに挟みこまれて、ピンにより固定されることを特徴とする電子機器。
【請求項４】
請求項１又は２記載の電子機器であって、
前記ブラケット部は、板金からなることを特徴とする電子機器。
【請求項５】
請求項１又は２記載の電子機器であって、
前記第１ブラケット部の摺動面上には、第１のストッパ部及び第２のストッパ部が形成されており、
前記第１のストッパ部及び前記第２のストッパ部は、前記第２ブラケット部に形成された第１のストッパ部用孔部及び第２のストッパ部用孔部にそれぞれ挿入され、
前記第１のストッパ部及び前記第２のストッパ部が、前記第１のストッパ部用孔部及び前記第２のストッパ部用孔部の端面にそれぞれ接触すると、前記第１ブラケット部の前記第２ブラケット部に対する摺動が停止されることを特徴とする電子機器。
【請求項６】
請求項１又は２記載の電子機器であって、
前記第１ストッパ部用孔部内を移動する前記第１のストッパ部の移動量は、前記第２のストッパ部用孔部内を移動する前記第２のストッパ部の移動量よりも多いことを特徴とする電子機器。
【請求項７】
請求項６記載の電子機器であって、
前記第１ストッパ部用孔部の、前記第１のストッパ部の進行方向における孔幅は、前記第２のストッパ部用孔部の、前記第２のストッパ部の進行方向における孔幅よりも長いことを特徴とする電子機器。
【請求項８】
請求項６記載の電子機器であって、
前記第１のストッパ部の長さは、前記第２のストッパ部の長さよりも短いことを特徴とする電子機器。
【請求項９】
請求項１又は２記載の電子機器であって、
前記ブラケット部を挟みこむ前記第１ブラケット部と前記第２ブラケット部との間の長さは、前記ユニット本体部の幅よりも長いことを特徴とする電子機器。
【請求項１０】
請求項９記載の電子機器であって、
前記ブラケット部を挟みこむ前記第１ブラケット部と前記第２ブラケット部との間の長さと、前記ユニット本体部の幅との差は、前記ピンの長さよりも短いことを特徴とする電子機器。
【請求項１１】
請求項５記載の電子機器であって、
前記ユニット本体部内に凹部が形成されており、
前記第１のストッパ部、前記第２のストッパ部、前記第１のストッパ部用孔部、及び前記第２のストッパ部用孔部は、前記凹部内に位置していることを特徴とする電子機器。
【請求項１２】
請求項１又は２記載の電子機器であって、
前記基板にはコネクタが設けられており、
前記コネクタの前記ユニット本体部に対する差し込み方向は、前記基板の押圧方向と同じ方向であることを特徴とする電子機器。
【請求項１３】
請求項１又は２記載の電子機器であって、
前記第２ブラケット部は、前記電子ユニットが設けられる電子機器の筐体本体内の構成部品であることを特徴とする電子機器。
【請求項１４】
電子ユニットの組立構造であって、
電子ユニットと、
前記電子ユニットを収納する電子機器筐体と、を有し、
前記電子ユニットは、
基板と、
前記基板が側面に設けられるユニット本体部と、
前記ユニット本体部を保持するブラケット部と、を備えた組立構造を有し、
前記ブラケット部は、第１ブラケット部と、前記第１ブラケット部が摺動自在に取り付けられる第２ブラケット部と、を有し、
前記第１ブラケット部を前記第２ブラケット部に対して摺動させて、前記ブラケット部が閉位置にあると、前記第１ブラケット部は、前記摺動方向と略垂直の方向に前記基板を押圧して前記基板を固定すると共に、前記ユニット本体部は、前記ブラケット部に固定されることを特徴とする電子ユニットの組立構造。
【請求項１５】
電子ユニット本体部を電子機器に搭載するためのブラケットであって、
第１ブラケット部と、
前記第１ブラケット部が摺動自在に取り付けられる第２ブラケット部と、を有し、
前記第１ブラケット部を前記第２ブラケット部に対して摺動させて、前記第１ブラケット部と前記第２ブラケット部が閉位置にあると、前記第１ブラケット部は、前記摺動方向と略垂直の方向に押圧して前記電子ユニット本体部の側面に基板を固定すると共に、前記電子ユニット本体部を固定することを特徴とするブラケット。
【発明の詳細な説明】
【技術分野】
【０００１】
本発明は、電子機器、電子ユニットの組立構造、及びブラケットに関し、より具体的には、基板が側面に設けられた電子ユニットの組立構造、電子機器及びブラケットに関する。
【背景技術】
【０００２】
パーソナル・コンピュータに代表される情報処理装置等の電子機器にあっては、受注生産方式等により多品種を製造する必要がある。例えば、所謂デスクトップ型の情報処理装置においては、装置の小型化の要求に対し、従来使用されていた厚さ５インチ（１２．７ｃｍ）の光学ドライブに代わって、厚さが１２．７ｍｍ又は９．５ｍｍの薄型光ドライブが使用され始めている。また、情報処理装置の機能の高密度化を図るため、厚さ５インチ（１２．７ｃｍ）の光学ドライブと、厚さが１２．７ｍｍ又は９．５ｍｍの薄型光ドライブとを併用する態様も実現化されている。【０００３】
一方、このような電子機器にあっては、その保守点検も重要である。そのため、当該電子機器を構成する部品を容易に、安価で、省スペースで組立及び分解できる方法が要求されている。【０００４】
図１に、所謂デスクトップ型のパーソナル・コンピュータの筐体の内部に搭載される電子ユニットを示す。図１（ｂ）は、図１（ａ）の点線Ａ−Ａにおける断面図である。また、図２は、図１に示す電子ユニットの分解斜視図である。【０００５】
図１及び図２に示す電子ユニット１０は、通常約０．８乃至１ｍｍの厚さを有する板金からなる筐体の内部に搭載される。電子ユニット１０は、ユニット本体部１と、ユニット部１の側面に取り付けられる変換基板２と、ユニット部１が取り付けられるブラケット部３等から大略構成される。【０００６】
ユニット本体部１は外面が例えばアルミニウム等から構成され、内部に上記薄型光ドライブ（図示を省略）が設けられている。【０００７】
ブラケット部３は、金属の薄い板金又は樹脂からなる。図２に示すように、ブラケット部３の底面３ａから鉛直方向に延在形成された側面３ｂ及び３ｃに、ユニット本体部１が、螺子４ａ及び４ｂを介して取り付けられている。また、ブラケット部３は、図示を省略する筐体の内部に設けられる。【０００８】
ユニット本体部１の側面のうち、ブラケット部３と接していない面には、変換基板２が螺子５ａ及び５ｂを介して固定されている。変換基板２には、複数種のコネクタ６ａ乃至６ｃが設けられている。【０００９】
そのほか、メモリカードをコネクタに差し込み装着した際に、そのカードの背面側からコネクタ抜けを防止する若しくは、抜けが発生しても電気的な接続に支障をきたさない抜け許容範囲内に収まるようなストッパ機構を設けることにより、携帯情報端末装置における外的衝撃によるコネクタ抜けを防止する構造が提案されている（特許文献１参照）。
【特許文献１】特開２００２−１６４１２０号公報
【発明の開示】
【発明が解決しようとする課題】
【００１０】
しかしながら、図１及び図２に示す態様では、ユニット本体部１は、ブラケット部３に螺子４ａ及び４ｂを介して取り付けられている。従って、当該取り付けにあたり、螺子４ａ及び４ｂと工具等を必要とし、また、螺子４ａ及び４ｂ毎に取り付け作業工程数が必要となる。仮に、取り付け作業工程数を減らす構造を採るとすると、部品点数が多くなり、また、当該取り付け作業用に所定の容積を要するおそれがある。【００１１】
また、ブラケット部３が樹脂からなる場合、そもそも、螺子４ａ及び４ｂ以外でユニット本体部１を固定するのは難しく、また、樹脂を薄く形成することは困難であり、ブラケット部３の厚さが厚くなってしまうおそれがある。また、ブラケット部３が樹脂からなる場合、別途、接地（グランド）用の処理も施す必要がある。【００１２】
また、ユニット本体部１が取り付けられたブラケット部３は、図示を省略する筐体の内部に固定されるが、当該固定にあたり、部品点数及び作業工程数が多く必要となる。【００１３】
更に、ユニット本体部１に取り付けられる変換基板２も、螺子５ａ及び５ｂを介してユニット本体部１の側面に固定されるため、部品点数及び当該取り付けについての作業工程数が多く必要となる。【００１４】
また、ユニット本体部１の外面は、例えばアルミニウム等から構成されているため、ブラケット部３が板金等の金属からなる場合、ブラケット部３はユニット本体部１よりも高強度を有する。よって、ブラケット部３の底面３ａに対する側面３ｂ及び３ｃの曲げ角度が不良であったり、ブラケット部３の側面３ｂ及び３ｃ間の長さがユニット本体部１の幅よりも大きい場合等に、螺子４ａ及び４ｂを介してブラケット部３にユニット本体部１を取り付けると、ユニット本体部１が遊びの無い螺子４ａ及び４ｂに引かれ、ユニット本体部１が変形してしまうおそれがある。その結果、ユニット本体部１の破損又は誤動作等を引き起こすおそれがある。【００１５】
かかる問題への対応として、高精度の材料をブラケット部３を構成する材料として用いたり、ユニット本体部１の構成材料よりも脆弱な材料をブラケット部３を構成する材料として用いることが考えられるが、前者の場合は製造コストが高くなり、また、後者の場合には、ユニット本体部１のブラケット部３への固定自体が脆弱になってしまうおそれがある。【００１６】
そこで、本発明は、上記の点に鑑みてなされたものであって、部品点数及び作業工程数の増加を招くことなく、ユニット本体部の破損又は誤動作等の発生を防止することができる強固な電子機器、電子ユニットの組立構造、及びブラケットを提供することを本発明の目的とする。
【課題を解決するための手段】
【００１７】
本発明の実施の形態の一観点によれば、電子機器であって、基板と、前記基板が側面に設けられるユニット本体部と、前記ユニット本体部を保持するブラケット部と、を備え、前記ブラケット部は、第１ブラケット部と、前記第１ブラケット部が摺動自在に取り付けられる第２ブラケット部と、を有し、前記第１ブラケット部を前記第２ブラケット部に対して摺動させて、前記ブラケット部が閉位置にあると、前記第１ブラケット部は、前記摺動方向と略垂直の方向に前記基板を押圧して前記基板を固定すると共に、前記ユニット本体部は、前記ブラケット部に固定されることを特徴とする電子機器が提供される。【００１８】
本発明の実施の形態の別の観点によれば、  電子ユニットの組立構造であって、電子ユニットと、前記電子ユニットを収納する電子機器筐体と、を有し、前記電子ユニットは、基板と、前記基板が側面に設けられるユニット本体部と、前記ユニット本体部を保持するブラケット部と、を備えた組立構造を有し、前記ブラケット部は、第１ブラケット部と、前記第１ブラケット部が摺動自在に取り付けられる第２ブラケット部と、を有し、前記第１ブラケット部を前記第２ブラケット部に対して摺動させて、前記ブラケット部が閉位置にあると、前記第１ブラケット部は、前記摺動方向と略垂直の方向に前記基板を押圧して前記基板を固定すると共に、前記ユニット本体部は、前記ブラケット部に固定されることを特徴とする電子ユニットの組立構造が提供される。【００１９】
本発明の実施の形態の更に別の観点によれば、電子ユニット本体部を電子機器に搭載するためのブラケットであって、第１ブラケット部と、前記第１ブラケット部が摺動自在に取り付けられる第２ブラケット部と、を有し、前記第１ブラケット部を前記第２ブラケット部に対して摺動させて、前記第１ブラケット部と前記第２ブラケット部が閉位置にあると、前記第１ブラケット部は、前記摺動方向と略垂直の方向に押圧して前記電子ユニット本体部の側面に基板を固定すると共に、前記電子ユニット本体部を固定することを特徴とするブラケットが提供される。
【発明の効果】
【００２０】
本発明の実施の形態によれば、部品点数及び作業工程数の増加を招くことなく、ユニット本体部の破損又は誤動作等の発生を防止することができる強固な電子機器、電子ユニットの組立構造、及びブラケットを提供することができる。
【図面の簡単な説明】
【００２１】
【図１】所謂デスクトップ型のパーソナル・コンピュータに搭載される電子ユニットを示す斜視図である。
【図２】図１に示す電子ユニットの分解斜視図である。
【図３】本発明の実施の形態に係る電子ユニットの斜視図である。
【図４】図３に示す電子ユニットの分解斜視図である。
【図５】ブラケット部の斜視図である。
【図６】図５に示すブラケット部の分解斜視図である。
【図７】図３に示す電子ユニットの断面図である。
【図８】ピンによるユニット本体部とブラケット部との取り付け構造の利点を説明するための断面図（その１）である。
【図９】ピンによるユニット本体部とブラケット部との取り付け構造の利点を説明するための断面図（その２）である。
【図１０】ブラケット部の平面図である。
【図１１】図１０に示すブラケット部の変形例を示す平面図である。
【図１２】本発明の実施の形態に係る電子ユニットの組み立て構造を示す図である。
【図１３】第１ブラケット部の第２ブラケット部に対する摺動構造を示す図（その１）である。
【図１４】第１ブラケット部の第２ブラケット部に対する摺動構造を示す図（その２）である。
【図１５】第１ブラケット部の第２ブラケット部に対する摺動構造を示す図（その３）である。
【図１６】図３に示す電子ユニットの、電子機器の筐体本体内への収納構造を示す図である。
【図１７】本発明の変形例に係るブラケット部を示す図である。
【図１８】本発明の変形例に係る電子ユニットの組み立て構造を示す図（その１）である。
【図１９】本発明の変形例に係る電子ユニットの組み立て構造を示す図（その２）である。
【符号の説明】
【００２２】
３０                                      電子ユニット
４０                                      ユニット本体部
５０                                      変換基板
５１                                      コネクタ
６０                                      第１ブラケット部
６１−１、６１−２                        ストッパ部
６２−１、６２−２、６２−３              爪部
６４−１、６４−２                        壁部
８０                                      第２ブラケット部
８５−１、８５−２、８５−３              爪部用孔部
８６−１、８６−２                        ストッパ部用孔部
８７−１、８７−２                        壁部用孔部
１００                                    ブラケット部
１２０                                    筐体本体
６５−１、６５−２、８３−１、８３−２    ピン
Ｘ                                        凹部
【発明を実施するための最良の形態】
【００２３】
以下、本発明の実施の形態について説明する。以下では、電子機器の例として所謂デスクトップ型パーソナル・コンピュータ等の情報処理装置の筐体の内部に搭載され、内部に光ドライブが設けられた電子ユニットを例に本発明の実施の形態を説明する。【００２４】
図３は、本発明の実施の形態に係る電子ユニットの斜視図である。図４は、図３に示す電子ユニットの分解斜視図である。【００２５】
図３及び図４を参照するに、本発明の実施の形態に係る電子ユニット３０は、通常約０．８乃至１ｍｍの厚さを有する板金からなる筐体の内部に搭載される。電子ユニット３０は、ユニット本体部４０と、ユニット本体部４０の側面に取り付けられる変換基板５０と、ユニット本体部４０が取り付けられるブラケット部１００（図４参照）等から大略構成される。【００２６】
ユニット本体部４０は外面が例えばアルミニウム等から構成され、内部に上記薄型光ドライブ（図示を省略）が設けられている。【００２７】
ブラケット部１００は、金属の板金又は樹脂からなる。詳細は後述するが、ブラケット部１００は、第１ブラケット部６０と第２ブラケット部８０から構成される。【００２８】
ユニット本体部４０の一の側面には、コネクタ差込口４５（図４参照）が形成されている。表面にコネクタ５１が設けられた変換基板５０の裏面に設けられた図示を省略するコネクタが、当該コネクタ差込口４５に差し込まれることにより、変換基板５０はユニット本体部４０に取り付けられる。【００２９】
ここで、図５及び図６を参照して、第１ブラケット部６０と第２ブラケット部８０から構成されるブラケット部１００の構造を説明する。【００３０】
第１ブラケット部６０は平面視略Ｌ字型形状を有する。当該Ｌ字の縦の辺の部分を構成する箇所の面には、当該面より僅かに斜め上方向にストッパ部６１−１（第１のストッパ部）及びストッパ部６１−２（第２のストッパ部）が当該面から延在形成されている。また、ストッパ部６１−１及び６１−２の延在方向と略反対の方向に爪部６２−１乃至６２−３が、当該面から延在形成されている。爪部６２−１乃至６２−３の端部は、僅かに斜め上方向に形成されている。【００３１】
第１ブラケット部６０の平面形状において、Ｌ字の縦の辺の部分を構成する箇所の面の、外側縁部には、当該面から鉛直方向に側面６３が形成されている。また、側面６３から、前記Ｌ字の横の辺と略平行に基板固定面６７が延在形成されている。【００３２】
Ｌ字の縦の辺の部分を構成する箇所の面の、内側縁部の２箇所において、当該面から鉛直方向に壁部６４−１及び６４−２が側面６３に対向して形成されている。壁部６４−１及び６４−２の幅は、下側部分が上側部分よりも短く設定されている。壁部６４−１及び６４−２のうち、側面６３に対向している面と反対側の面には、ピン６５−１及び６５−２が形成されている。【００３３】
第１ブラケット部６０の平面形状において、Ｌ字の横の辺の部分を構成する箇所の面の、外側縁部には、当該面から鉛直方向に基板押圧面６６が形成されている。【００３４】
第２ブラケット部８０の底面８１から鉛直方向に形成された第１側面８２には、ピン８３−１及び８３−２が、同じく底面８１から鉛直方向に形成された第２側面８４方向に延在形成されている。【００３５】
第２側面８４には、第１ブラケット部６０の爪部６２−１乃至６２−３に対応して、当該爪部６２−１乃至６２−３を挿入することができる爪部用孔部８５−１乃至８５−３が貫通形成されている。なお、爪部用孔部８５−１乃至８５−３の近傍には、凸部９０−１乃至９０−３が形成されており、爪部用孔部８５−１乃至８５−３内に挿入された爪部６２−１乃至６２−３の下面に形成された図示を省略する凹部と嵌合する。【００３６】
第２ブラケット部８０の底面８１には、第１ブラケット部６０のストッパ部６１−１及び６１−２に対応して、当該ストッパ部６１−１及び６１−２を挿入することができるストッパ部用孔部８６−１（第１のストッパ部用孔部）及びストッパ部用孔部８６−２（第２のストッパ部用孔部）が貫通形成されている。【００３７】
詳細は後述するが、ストッパ部用孔部８６−１の長手方向の孔幅、即ち、ストッパ部用孔部８６−１の、ストッパ部６１−１の進行方向における孔幅は、ストッパ部用孔部８６−２の長手方向の孔幅、即ち、ストッパ部用孔部８６−２の、ストッパ部６１−２の進行方向における孔幅よりも僅かに長く設定されている。【００３８】
また、第２ブラケット部８０の底面８１には、第１ブラケット部６０の壁部６４−１及び６４−２に対応して、当該壁部６４−１及び６４−２を挿入することができる壁部用孔部８７−１及び８７−２が貫通形成されている。壁部用孔部８７−１及び８７−２は、壁部６４−１及び６４−２の上側部分の幅に相当する幅を有する箇所と、壁部６４−１及び６４−２の下側部分の幅に相当する幅を有する箇所と、を備える。【００３９】
また、第２ブラケット部８０の第１側面８２の端部には、第１側面８２に対向して位置する第２側面８４に向かって僅かに斜め方向に爪部８８が延在形成されている。【００４０】
なお、第２ブラケット部８０の第１側面８２及び第２側面８４は、板金の曲げにより形成されており、また、板金の抜き加工により、爪部用孔部８５−１乃至８５−３、ストッパ部用孔部８６−１及び８６−２、及び壁部用孔部８７−１及び８７−２が形成されている。【００４１】
このような構造を有する第１ブラケット部６０の壁部６４−１及び６４−２を、第２ブラケット部８０の壁部用孔部８７−１及び８７−２に挿入し、第１ブラケット部６０のストッパ部６１−１及び６１−２を、第２ブラケット部８０のストッパ部用孔部８６−１及び８６−２に挿入し、第１ブラケット部６０の爪部６２−１乃至６２−３を、第２ブラケット部８０の爪部用孔部８５−１乃至８５−３に挿入することにより、図５に示すように、第１ブラケット部６０が第２ブラケット部８０に取り付けることができる。【００４２】
第１ブラケット部６０が第２ブラケット部８０に取り付けられてなるブラケット部１００に、変換基板５０が設けられたユニット本体部４０が取り付けられた状態（図３に示す状態）において、線Ｂ−Ｂにおける断面図を図７に示す。図７（ｂ）は、図７（ａ）において一点鎖線Ｃで示す箇所を囲んだ部分の拡大図である。【００４３】
図７に示すように、このように、第１ブラケット部６０が第２ブラケット部８０に取り付けられてなるブラケット部１００に、変換基板５０が設けられたユニット本体部４０を取り付けると、ユニット本体部４０の内側面に形成された凹部４１に、第２ブラケット部８０の第１側面８２に形成されたピン８３−２が嵌挿し、ユニット本体部４０の外側面に形成された凹部４２に、第１ブラケット部６０の壁部６４−２に形成されたピン６５−２が嵌挿する。【００４４】
ここで、ユニット本体部４０の外側面に形成された凹部４２に、第２ブラケット部８０の第１側面８２に形成されたピン８３−２が嵌挿し、ユニット本体部４０の内側面に形成された凹部４１に、第１ブラケット部６０の壁部６４−２に形成されたピン６５−２が嵌挿する構造の利点を、図８及び図９を参照して説明する。図８及び図９において、（ａ）は、図１（ｂ）に示すように螺子を用いてユニット本体部とブラケット部とが取り付けられる態様を示す概略断面図であり、（ｂ）は、図７に示すようにピンを用いてユニット本体部とブラケット部とが取り付けられる態様を示す概略断面図である。【００４５】
図８（ａ）に示すように、ブラケット部３の底面３ａに対する側面３ｂ及び３ｃの曲げ角度が不良であると、螺子４ａ及び４ｂを介してブラケット部３にユニット本体部１が取り付けられると、ユニット本体部１が遊びの無い螺子４ａ及び４ｂに引かれ、ユニット本体部１が変形してしまうおそれがある。その結果、ユニット本体部１の破損又は誤動作等を引き起こすおそれがある。【００４６】
一方、図８（ｂ）に示すように、ピン６５−２及び８３−２を用いてユニット本体部４０とブラケット部６０及び８０とが取り付けられる態様においては、第２ブラケット部８０の第１側面８２及び第１ブラケット部６０の壁部６４−２の曲げ角度が不良であっても、ユニット本体部４０の凹部４１及び４２内におけるピン６５−２及び８３−２との隙間が、当該曲げ角度の不良、即ち、歪みを吸収するため、ユニット本体部４０の変形を防止することができる。【００４７】
また、図９（ａ）に示すように、ブラケット部３の側面３ｂ及び３ｃ間の長さがユニット本体部１の幅よりも大きい場合、螺子４ａ及び４ｂを介してブラケット部３にユニット本体部１が取り付けられると、ユニット本体部１が遊びの無い螺子４ａ及び４ｂに引かれ、ユニット本体部１が変形してしまうおそれがある。その結果、ユニット本体部１の破損又は誤動作等を引き起こすおそれがある。【００４８】
一方、図９（ｂ）に示すように、ピン６５−２及び８３−２を用いてユニット本体部４０とブラケット部６０及び８０とが取り付けられる態様においては、第２ブラケット部８０の第１側面８２及び第１ブラケット部６０の壁部６４−２の間の長さがユニット本体部４０の幅よりも大きい場合であっても、ユニット本体部４０はピン６５−２及び８３−２に引っ張られることなく、よって、ユニット本体部４０の変形を防止することができる。【００４９】
ところで、第１ブラケット部６０の壁部６４−１及び６４−２が、第２ブラケット部８０の壁部用孔部８７−１及び８７−２内を移動し、第１ブラケット部６０のストッパ部６１−１及び６１−２が、第２ブラケット部８０のストッパ部用孔部８６−１及び８６−２内を移動し、第１ブラケット部６０の爪部６２−１乃至６２−３が、第２ブラケット部８０の爪部用孔部８５−１乃至８５−３内を移動することにより、第１ブラケット部６０は第２ブラケット部８０に対して摺動することができる。【００５０】
従って、第２ブラケット部８０の第１側面８２と共に、ユニット本体部４０を挟みこむ第１ブラケット部６０の壁部６４−１及び６４−２の位置は、第２ブラケット部８０の壁部用孔部８７−１及び８７−２によって定められる。また、第２ブラケット部８０の第１側面８２と、ユニット本体部４０を挟みこむ第１ブラケット部６０の壁部６４−１及び６４−２との間の長さが、ユニット本体部４０の幅よりも大きくなるように、第２ブラケット部８０の壁部用孔部８７−１及び８７−２内における第１ブラケット部６０の壁部６４−１及び６４−２の位置を定めることにより、ユニット本体部４０に作用する第１ブラケット部６０の壁部６４−１及び６４−２からの負荷を軽減することができる。【００５１】
また、第２ブラケット部８０の第１側面８２とユニット本体部４０を挟みこむ第１ブラケット部６０の壁部６４−１及び６４−２との間の長さと、ユニット本体部４０の幅との隙間の長さは、第１ブラケット部６０のピン６５−１及び６５−２の長さ、及び第２ブラケット部８０のピン８３−１及び８３−２の長さよりも狭く設定されており、ユニット本体部４０を、第２ブラケット部８０の第１側面８２とユニット本体部４０を挟みこむ第１ブラケット部６０の壁部６４−１及び６４−２との間に固定することができる。【００５２】
更に、上述したように、ストッパ部用孔部８６−１の長手方向の孔幅は、ストッパ部用孔部８６−２の長手方向の孔幅よりも僅かに長く設定されている。即ち、図１０に示すように、ストッパ部用孔部８６−１の、側面６３側の端部と、第２ブラケット部８０の第２側面８４との間の長さｂは、ストッパ部用孔部８６−２の、側面６３側の端部と、第２ブラケット部８０の第２側面８４との間の長さａよりも短く設定されている。ここで、図１０は、ブラケット部１００（図４参照）の平面図であり、図１０（ｂ）は、図１０（ａ）において一点鎖線Ｄで示す箇所の拡大図である。【００５３】
従って、第２ブラケット部８０のストッパ部用孔部８６−１内を移動する第１ブラケット部６０のストッパ部６１−１の移動量は、第２ブラケット部８０のストッパ部用孔部８６−２内を移動する第１ブラケット部６０のストッパ部６１−２の移動量よりも多い。【００５４】
よって、第２ブラケット部８０に第１ブラケット部６０が取り付けられると、平面視僅かに斜めに傾いた状態で、第１ブラケット部６０を第２ブラケット部８０に対して摺動させることができる。【００５５】
即ち、ストッパ部用孔部８６−１及びストッパ部６１−１が設けられている側、即ち、ユニット本体部４０をブラケット部１００に取り付けたときに変換基板５０を固定する側（変換基板５０に近い側）における第１ブラケット部６０の第２ブラケット部８０に対する摺動量は、ストッパ部用孔部８６−２及びストッパ部６１−２が設けられている側、即ち、ユニット本体部４０をブラケット部１００に取り付けたときに変換基板５０を固定する側と反対の側（変換基板５０に遠い側）における第１ブラケット部６０の第２ブラケット部８０に対する摺動量よりも多くなるように設定されている。【００５６】
例えば、第１ブラケット部６０の第２ブラケット部８０に対する傾きが約１乃至１．５度となるように設定した場合、第１ブラケット部６０の壁部６４−１及び６４−２及び爪部６２−１乃至６２−３等と、第２ブラケット部８０の壁部用孔部８７−１及び８７−２及び爪部用孔部８５−１乃至８５−３等との間に、約０．０３ｍｍの勾配差が生じるが、これは、第１ブラケット部６０と第２ブラケット部８０との間の隙間の範囲内であり、第１ブラケット部６０の基板押圧面６６には、約２ｍｍ以上の遊びが発生する。【００５７】
但し、第２ブラケット部８０に第１ブラケット部６０が取り付けられると、平面視僅かに斜めに傾いた状態で、第１ブラケット部６０を第２ブラケット部８０に対して摺動させることができる限り、本発明は図１０に示す例に限られず、本発明は図１１に示す例に対して適用することもできる。ここで、図１１は、図１０に示すブラケット部１００の変形例の平面図であり、図１１（ｂ）は、図１１（ａ）において一点鎖線Ｄで示す箇所の拡大図である。図１１において、図１０で示す箇所と同じ箇所には同じ番号を付して、その説明を省略する。【００５８】
図１１に示す例では、ストッパ部用孔部８６−３の長手方向の孔幅は、ストッパ部用孔部８６−４の長手方向の孔幅と等しい長さに設定されているが、ストッパ部６１−３の先端部の長さｄは、ストッパ部の先端部の長さｃよりも短く設定されている。従って、第２ブラケット部８０のストッパ部用孔部８６−３内を移動する第１ブラケット部６０のストッパ部６１−３の移動量は、第２ブラケット部８０のストッパ部用孔部８６−４内を移動する第１ブラケット部６０のストッパ部６１−４の移動量よりも多い。【００５９】
よって、第２ブラケット部８０に第１ブラケット部６０が取り付けられると、平面視僅かに斜めに傾いた状態で、第１ブラケット部６０を第２ブラケット部８０に対して摺動させることができる。【００６０】
ところで、本例においては、図３及び図４に示すように、薄い板金等からなり製造容易な形状を有する第１ブラケット部６０を第２ブラケット部８０に重ね合わせるように設けられており、更に、図７に示すように、ユニット本体部４０内の凹部Ｘ内に、第１ブラケット部６０の壁部６４−１及び６４−２、ストッパ部６１−１及び６１−２、及び爪部６２−１乃至６２−３等と、第２ブラケット部８０の壁部用孔部８７−１及び８７−２、ストッパ部用孔部８６−１及び８６−２、爪部用孔部８５−１乃至８５−３等が、位置している。【００６１】
従って、本発明の実施の形態に係る電子ユニット３０は、厚さが最も厚い箇所であっても、ユニット本体部４０の厚さに比し約２ｍｍ以下だけ厚くてすみ、省スペースな電子ユニット３０を実現することができる。【００６２】
次に、このような構造を有する電子ユニット３０の組み立て構造について説明する。【００６３】
電子ユニット３０の組み立てにあっては、図１２において矢印（１）で示すように、ユニット本体部４０の一の側面に形成されたコネクタ差込口４５（図４参照）に、変換基板５０の裏面に設けられた図示を省略するコネクタを差し込むことにより、変換基板５０をユニット本体部４０に取り付ける。【００６４】
次いで、図１２において矢印（２）で示すように、ユニット本体部４０の外側面の２箇所に形成された凹部４２に、第２ブラケット部８０の第１側面８２に形成されたピン８３−１及び８３−２を嵌挿する（図７参照）ことにより、第２ブラケット部８０に、変換基板５０が設けられたユニット本体部４０が保持される。【００６５】
この状態からの、第１ブラケット部６０の第２ブラケット部８０に対する図１２において矢印（３）で示す摺動構造を、図１３乃至図１５を参照して説明する。なお、図１３（ａ）は側面図を示す。図１３（ｂ）、図１４（ａ）及び図１５（ａ）は、図１３（ａ）における線Ｆ−Ｆの断面図を示す。図１３（ｃ）、図１４（ｂ）及び図１５（ｂ）は、図１３（ｂ）、図１４（ａ）及び図１５（ａ）の一点鎖線Ｇで示した箇所の拡大図を示す。【００６６】
まず、図１３に示すように、第１ブラケット部６０が第２ブラケット部８０に対して傾いた状態にあって、第１ブラケット部６０が第２ブラケット部８０に重ね合って取り付けられる（特許請求の範囲に記載の「開位置」）。【００６７】
具体的には、第１ブラケット部６０の壁部６４−１及び６４−２が、第２ブラケット部８０の壁部用孔部８７−１及び８７−２内に挿入され、第１ブラケット部６０のストッパ部６１−１及び６１−２が、第２ブラケット部８０のストッパ部用孔部８６−１及び８６−２内に挿入され、第１ブラケット部６０の爪部６２−１乃至６２−３が、第２ブラケット部８０の爪部用孔部８５−１乃至８５−３内に挿入される。【００６８】
第１ブラケット部６０が第２ブラケット部８０に対して傾いた状態にあって、第１ブラケット部６０が第２ブラケット部８０に重ね合って取り付けられているため、変換基板５０を押える部分に隙間が発生しており、ユニット本体部４０に変換基板５０が差し込まれた状態にありながら、容易に、第２ブラケット部８０に取り付けることができる。【００６９】
この状態から、第１ブラケット部６０を第２ブラケット部８０に対して図１３（ｃ）において白抜きの矢印で示す方向に摺動させるが、上述したように、第１ブラケット部６０の第２ブラケット部８０に対する摺動量は、ストッパ部用孔部８６−１及びストッパ部６１−１と、ストッパ部用孔部８６−２及びストッパ部６１−２とによって規制されている。【００７０】
この状態から、第１ブラケット部６０を第２ブラケット部８０に対して図１３（ｃ）において白抜きの矢印で示す方向に摺動させると、図１４に示すように、第１ブラケット部６０の基板押圧面６６が、第２ブラケット部８０の爪部８８に沿って、当該爪部８８の内側を進行する。即ち、第１ブラケット部６０の基板押圧面６６は、図１４（ｂ）に示すように、白抜きの矢印で示す方向に進行し、更に、黒色の矢印で示すように第２ブラケット部８０の爪部８８に沿って、当該爪部８８の内側を進行する。【００７１】
そして、最終的には、図１５に示すように、第１ブラケット部６０の基板押圧面６６は、第２ブラケット部８０の爪部８８と変換基板５５との間に入り込む。変換基板５５はまた、第１ブラケット部６０の基板固定面６７によっても固定されている。よって、ユニット本体部４０を固定した状態で、変換基板５０のコネクタ部分に緩みが発生することなく、変換基板５０を固定することができる（特許請求の範囲における「閉位置」）。【００７２】
更に、変換基板５０の押さえ方向は、変換基板５０のコネクタの差し込み方向と同じであるため、ユニット本体部４０と変換基板５０のコネクタ部分に余分な負荷が掛からない状態で、ユニット本体部４０を固定したまま、変換基板５０を緩み無く固定することができる。【００７３】
また、図１５に示すように、第１ブラケット部６０の基板押圧面６６は、第２ブラケット部８０の爪部８８と変換基板５５との間に入り込むと、ユニット本体部４０の内側面の２箇所に形成された凹部４１に、第１ブラケット部６０の壁部６４−２に形成されたピン６５−１及び６５−２が嵌挿される。【００７４】
第１ブラケット部６０の壁部６４−１及び６４−２が、第２ブラケット部８０の壁部用孔部８７−１及び８７−２内に引っ掛かり、第１ブラケット部６０の爪部６２−１乃至６２−３が、第２ブラケット部８０の爪部用孔部８５−１乃至８５−３内に引っ掛かり、第１ブラケット部６０は、第２ブラケット部８０に固定される。【００７５】
第１ブラケット部６０のストッパ部６１−１及び６１−２は、第１ブラケット部６０を第２ブラケット８０に対して閉じる（図１３及び図１４において白抜きの矢印で示す方向に摺動する）場合のみバネ性を有するため、かかる場合に、第１ブラケット部６０のストッパ部６１−１及び６１−２は、第２ブラケット部８０のストッパ部用孔部８６−１及び８６−２内における移動を規制されることはない。【００７６】
上述したように、第２ブラケット部８０の第１側面８２と共に、ユニット本体部４０を挟みこむ第１ブラケット部６０の壁部６４−１及び６４−２の位置は、第２ブラケット部８０の壁部用孔部８７−１及び８７−２によって定められる。また、第２ブラケット部８０の第１側面８２と、ユニット本体部４０を挟みこむ第１ブラケット部６０の壁部６４−１及び６４−２との間の長さが、ユニット本体部４０の幅よりも大きくなるように、第２ブラケット部８０の壁部用孔部８７−１及び８７−２内における第１ブラケット部６０の壁部６４−１及び６４−２の位置を定められており、ユニット本体部４０に作用する第１ブラケット部６０の壁部６４−１及び６４−２からの負荷を軽減することができる。【００７７】
一方、第１ブラケット部６０のストッパ部６１−１及び６１−２は、第１ブラケット部６０を第２ブラケット８０に対して開く（図１３及び図１４において白抜きの矢印で示す方向と反対の方向に摺動する）場合にはバネ性を有しないため、かかる場合には、第２ブラケット部８０のストッパ部用孔部８６−１及び８６−２の端面により、第１ブラケット部６０のストッパ部６１−１及び６１−２の移動は規制され、第１ブラケット部６０の第２ブラケット８０に対する取り付けが解除されることはない。【００７８】
かかる工程により、第１ブラケット部６０及び第２ブラケット部８０とユニット本体部４０及び変換基板５０とを、容易且つ強固に固定することができる。また、当該固定にあたり、ネジ等の締結部品や工具等を要せず、第１ブラケット部６０及び第２ブラケット部８０による挟み込みだけで当該固定を為すことができるため、作業工数の削減を図ることができる。【００７９】
また、本構造では、第１ブラケット部６０及び第２ブラケット部８０による、変換基板５０及びユニット本体部４０の固定にあたり工具等を使用しないため、第１ブラケット部６０が第２ブラケット部８０に対して摺動可能な領域と、ユニット本体部４０を第２ブラケット部８０のピン８３−１及び８３−２に差し込む領域を設けるだけで、容易に、第１ブラケット部６０及び第２ブラケット部８０による、変換基板５０及びユニット本体部４０の固定をなすことができる。その結果、ブラケット部１００を構成する部品点数を削減することができ、よって、製造コストの削減を図ることができる。また、電子ユニット３０から分離される部品点数を削減することができ、よって、部品の取り扱いが容易となる。【００８０】
更に、変換基板５０の押さえ方向は、変換基板５０のコネクタの差し込み方向と同じである。よって、ユニット本体部４０と変換基板５０のコネクタ部分に余分な負荷が掛からない状態で、ユニット本体部４０を固定したまま、変換基板５０を緩み無く固定することができ、また、第１ブラケット部６０のピン６５−１及び６５−２と第２ブラケット部８０のピン８３−１及び８３−２との長さを短くすることができる。【００８１】
第２ブラケット部８０の第１側面８２及び第２側面８４は、板金の曲げにより形成されており、また、板金の抜き加工により、爪部用孔部８５−１乃至８５−３、ストッパ部用孔部８６−１及び８６−２、及び壁部用孔部８７−１及び８７−２が形成されている。よって、必要な部品精度を簡易且つ安価に確保することができる。【００８２】
このようにして組み立てられた電子ユニット３０を、図１６（ａ）において黒色の矢印で示すように電子機器の筐体本体１２０に形成された電子ユニット差込口１２１に差し込むことにより（図１６（ａ）参照）、電子ユニット３０は電子機器の筐体本体１２０の内部に収納されて、当該本体１２０内に組み込まれる（図１６（ｂ）参照）。【００８３】
ところで、上述の例では、電子機器の筐体本体１２０内に収納される電子ユニット３０の構成部品の１つである第２ブラケット部８０は、筐体本体１２０と別部品からなっているが、本発明はかかる例に限定されない。即ち、本発明は、第２ブラケット部８０が、筐体本体１２０を構成する部品として形成されていてもよい。これについて、図１７乃至図１９を参照して説明する。【００８４】
図１７を参照するに、上述の第１ブラケット部６０と同様の構造を有し筐体本体１２０とは別部品として形成された第１ブラケット部６０'が、第２ブラケット部８０と同様の構造を有し筐体本体１２０を構成する部品として形成された第２ブラケット部８０'上に、図１７（ｂ）において矢印Ｈで示す方向に所定長さ摺動自在に、且つ、分離しないように設けられている。即ち、ブラケット部１００の固定側たる第２ブラケット部８０'を筐体本体１２０を構成する部品として構成しているため、ブラケット構造を分離することなく、筐体本体１２０に対し直接電子ユニット３０'を組み立てることができる。【００８５】
具体的には、第１ブラケット部６０'の壁部６４'−１及び６４'−２が、第２ブラケット部８０'の壁部用孔部８７'−１及び８７'−２内に挿入され、第２ブラケット部８０'のストッパ部８６'−１及び８６'−２が、第１ブラケット部６０'のストッパ部用孔部６１'−１及び６１'−２内に挿入され、第２ブラケット部８０'の爪部８５'−１乃至８５'−２が、第１ブラケット部６０'の爪部用孔部６２'−１乃至６２'−２内に挿入されている。【００８６】
本例においても、第１ブラケット部６０'は、第２ブラケット部８０'に対し矢印Ｈで示す方向に摺動でき、また、第２ブラケット部８０'に取り付けられるユニット本体部４０'に設けられた変換基板５０'（図１７では図示を省略）を、図１７（ｂ）において矢印Ｊで示す方向に押さえることができる。【００８７】
次に、このような構造を有する電子ユニット３０'の組み立て構造について、図１８及び図１９を参照して説明する。図１９は、図１８において矢印Ｋで示す方向に見たときの斜視図である。【００８８】
電子ユニット３０'の組み立てにあっては、図１８及び図１９において矢印（１）'で示すように、ユニット本体部４０の一の側面に形成されたコネクタ差込口４５（図１９（ａ）参照）に、変換基板５０の裏面に設けられた図示を省略するコネクタを差し込むことにより、変換基板５０をユニット本体部４０に取り付ける。【００８９】
次いで、図１８（ａ）及び図１９（ａ）において矢印（２）'で示すように、ユニット本体部４０の外側面に形成された凹部（図示を省略）に、第２ブラケット部８０'の壁部８２'に形成されたピン８３'−１及び８３'−２を嵌挿する（図１７参照）ことにより、第２ブラケット部８０'に、変換基板５０が設けられたユニット本体部４０が取り付けられる。【００９０】
しかる後、図１３乃至図１５を参照して説明したように、図１８（ａ）及び図１９（ａ）において矢印（３）'で示すように、第２ブラケット部８０'に対し第１ブラケット部６０'を摺動させる。そうすると、ユニット本体部４０の内側面に形成された凹部（図示を省略）に、第１ブラケット部６０'の第１側面６４'−１及び６４'−２に形成されたピン（図示を省略）が嵌挿され、第１ブラケット部６０'及び第２ブラケット部８０'と、ユニット本体部４０及び変換基板５０とが固定される。【００９１】
かかる例においても、第１ブラケット部６０'及び第２ブラケット部８０'と、ユニット本体部４０及び変換基板５０とを容易且つ確実固定することができる。また、当該固定にあたり、ネジ等の締結部品や工具等を要せず、第１ブラケット部６０'及び第２ブラケット部８０'による挟み込みだけで当該固定を為すことができるため、作業工数の削減を図ることができる。特に、ブラケット部１００の固定側たる第２ブラケット部８０'を筐体本体１２０を構成する部品として構成しているため、ブラケット構造を分離することなく、筐体本体１２０に対し直接電子ユニット３０'を組み立てることができる。【００９２】
以上、本発明の実施の形態について詳述したが、本発明は特定の実施形態に限定されるものではなく、特許請求の範囲に記載された本発明の要旨の範囲内において、種々の変形及び変更が可能である。
【産業上の利用可能性】
【００９３】
本発明は、所謂デスクトップ型パーソナル・コンピュータ等の情報処理装置の筐体の内部に搭載され、内部に光ドライブが設けられた電子ユニットのほか、ＣＤ装置等の光ディスク装置等、他の電子機器に適用可能である。【００９４】
以上、本発明を実施例により説明したが、本発明は上記実施例に限定されるものではなく、本発明の範囲内で種々の変形及び改良が可能であることは言うまでもない。
【図１】
2009118899.tif 000003
【図２】
2009118899.tif 000004
【図３】
2009118899.tif 000005
【図４】
2009118899.tif 000006
【図５】
2009118899.tif 000007
【図６】
2009118899.tif 000008
【図７】
2009118899.tif 000009
【図８】
2009118899.tif 000010
【図９】
2009118899.tif 000011
【図１０】
2009118899.tif 000012
【図１１】
2009118899.tif 000013
【図１２】
2009118899.tif 000014
【図１３】
2009118899.tif 000015
【図１４】
2009118899.tif 000016
【図１５】
2009118899.tif 000017
【図１６】
2009118899.tif 000018
【図１７】
2009118899.tif 000019
【図１８】
2009118899.tif 000020
【図１９】
2009118899.tif 000021
【手続補正書】
【提出日】平成22年8月25日(2010.8.25)
【手続補正１】
【補正対象書類名】特許請求の範囲
【補正対象項目名】全文
【補正方法】変更
【補正の内容】
【特許請求の範囲】
【請求項１】
電子機器であって、
基板と、
前記基板が側面に設けられるユニット本体部と、
前記ユニット本体部を保持するブラケット部と、を備え、
前記ブラケット部は、第１ブラケット部と、前記第１ブラケット部が摺動自在に取り付けられる第２ブラケット部と、を有し、
前記第１ブラケット部を前記第２ブラケット部に対して摺動させて、前記ブラケット部が閉位置にあると、前記第１ブラケット部は、前記摺動方向と略垂直の方向に前記基板を押圧して前記基板を固定すると共に、前記ユニット本体部は、前記ブラケット部に固定されることを特徴とする電子機器。
【請求項２】
請求項１記載の電子機器であって、
前記ブラケット部が開位置にあると、前記第１ブラケット部は前記第２ブラケット部に対して傾いて位置し、前記第１ブラケット部と、前記ユニット本体部に設けられた前記基板と、の間に隙間が形成されていることを特徴とする電子機器。
【請求項３】
請求項１又は２記載の電子機器であって、
前記ユニット本体部は、前記第１ブラケット部と前記第２ブラケット部とに挟みこまれて、ピンにより固定されることを特徴とする電子機器。
【請求項４】
請求項１又は２記載の電子機器であって、
前記第１ブラケット部の摺動面上には、第１のストッパ部及び第２のストッパ部が形成されており、
前記第１のストッパ部及び前記第２のストッパ部は、前記第２ブラケット部に形成された第１のストッパ部用孔部及び第２のストッパ部用孔部にそれぞれ挿入され、
前記第１のストッパ部及び前記第２のストッパ部が、前記第１のストッパ部用孔部及び前記第２のストッパ部用孔部の端面にそれぞれ接触すると、前記第１ブラケット部の前記第２ブラケット部に対する摺動が停止されることを特徴とする電子機器。
【請求項５】
請求項１又は２記載の電子機器であって、
前記第１ストッパ部用孔部内を移動する前記第１のストッパ部の移動量は、前記第２のストッパ部用孔部内を移動する前記第２のストッパ部の移動量よりも多いことを特徴とする電子機器。
【請求項６】
請求項５記載の電子機器であって、
前記第１ストッパ部用孔部の、前記第１のストッパ部の進行方向における孔幅は、前記第２のストッパ部用孔部の、前記第２のストッパ部の進行方向における孔幅よりも長いことを特徴とする電子機器。
【請求項７】
請求項５記載の電子機器であって、
前記第１のストッパ部の長さは、前記第２のストッパ部の長さよりも短いことを特徴とする電子機器。
【請求項８】
請求項４記載の電子機器であって、
前記ユニット本体部内に凹部が形成されており、
前記第１のストッパ部、前記第２のストッパ部、前記第１のストッパ部用孔部、及び前記第２のストッパ部用孔部は、前記凹部内に位置していることを特徴とする電子機器。
【請求項９】
電子ユニットの組立構造であって、
電子ユニットと、
前記電子ユニットを収納する電子機器筐体と、を有し、
前記電子ユニットは、
基板と、
前記基板が側面に設けられるユニット本体部と、
前記ユニット本体部を保持するブラケット部と、を備えた組立構造を有し、
前記ブラケット部は、第１ブラケット部と、前記第１ブラケット部が摺動自在に取り付けられる第２ブラケット部と、を有し、
前記第１ブラケット部を前記第２ブラケット部に対して摺動させて、前記ブラケット部が閉位置にあると、前記第１ブラケット部は、前記摺動方向と略垂直の方向に前記基板を押圧して前記基板を固定すると共に、前記ユニット本体部は、前記ブラケット部に固定されることを特徴とする電子ユニットの組立構造。
【請求項１０】
電子ユニット本体部を電子機器に搭載するためのブラケットであって、
第１ブラケット部と、
前記第１ブラケット部が摺動自在に取り付けられる第２ブラケット部と、を有し、
前記第１ブラケット部を前記第２ブラケット部に対して摺動させて、前記第１ブラケット部と前記第２ブラケット部が閉位置にあると、前記第１ブラケット部は、前記摺動方向と略垂直の方向に押圧して前記電子ユニット本体部の側面に基板を固定すると共に、前記電子ユニット本体部を固定することを特徴とするブラケット。
【国際調査報告】
2009118899.tif 000022
2009118899.tif 000023